(57)【要約】  【課題】  フロントパネルが他の部分と干渉しないように、フロントパネルの外面を上方に向けさせることができる開閉装置、開閉方法、電子機器および記録再生装置を提供する。  【解決手段】  フロントパネル２の上部側を、本体側固定部材８２のガイド溝に沿って、フロントパネル２が閉じた状態における第１の上部位置と、第１の上部位置よりも前方斜め下方にある第２の上部位置との間において変位可能とし、フロントパネル２の下部側を、パネル側固定部材８４のガイド溝に沿って、少なくとも、フロントパネル２が閉じた状態における第１の下部位置と、第１の下部位置よりも前方斜め下方にある第２の下部位置との間において変位可能とする。【選択図】        図１１
2006302335.tif 000002
【特許請求の範囲】
【請求項１】
フロントパネルの上部側に設けられている支点を、上記フロントパネルが閉じた状態における第１の上部位置と、上記第１の上部位置よりも前方斜め下方にある第２の上部位置との間において変位可能にガイドする第１のガイド部と、
上記第１のガイド部による上記フロントパネルの上記上部側の変位と連動して、上記フロントパネルの下部側を、少なくとも、上記フロントパネルが閉じた状態における第１の下部位置と、上記第１の下部位置よりも前方斜め下方にある第２の下部位置との間において変位可能にガイドする第２のガイド部と
を有することを特徴とする開閉装置。
【請求項２】
上記第２のガイド部は、さらに上記フロントパネルの上記下部側を、上記第２の下部位置と、上記第２の下部位置よりも前方斜め上方にある第３の下部位置との間において変位可能にガイドする請求項１に記載の開閉装置。
【請求項３】
上記第２のガイド部は、上記フロントパネルの上記下部側を、上記第１の下部位置と上記第２の下部位置と上記第３の下部位置との間において、凸部が下側となる曲線状にガイドする請求項２に記載の開閉装置。
【請求項４】
上記曲線は、上記フロントパネルの最も上側の位置よりも上方であり、上記フロントパネルの最も前側の位置よりも前方である位置を中心とする円弧である請求項３に記載の開閉装置。
【請求項５】
上記フロントパネルの上記下部側を上記第１の下部位置からガイド方向に向かって押し出す押出部をさらに有する請求項１に記載の開閉装置。
【請求項６】
少なくとも上記フロントパネルを閉じた状態では、上記フロントパネルの下部側の変位動作がロックされる請求項５に記載の開閉装置。
【請求項７】
上記押出部による上記フロントパネルの上記下部側の変位速度を一定速度に抑制するダンパが設けられている請求項５に記載の開閉装置。
【請求項８】
上記第１のガイド部および上記第２のガイド部は、上記フロントパネルの両側面側に設けられている請求項１に記載の開閉装置。
【請求項９】
フロントパネルの上部側に設けられている支点を、前方斜め下方に向かって変位させると共に、上記フロントパネルの下部側を、前方斜め下方に向かって変位させることによって、上記フロントパネルの外面を上方に向けさせる
ことを特徴とする開閉方法。
【請求項１０】
本体部の前面側に取り付けられたフロントパネルと、
上記フロントパネルの上部側に設けられている支点を、上記フロントパネルが閉じた状態における第１の上部位置と、上記第１の上部位置よりも前方斜め下方にある第２の上部位置との間において変位可能にガイドする第１のガイド部と、
上記第１のガイド部による上記フロントパネルの上記上部側の変位と連動して、上記フロントパネルの下部側を、少なくとも、上記フロントパネルが閉じた状態における第１の下部位置と、上記第１の下部位置よりも前方斜め下方にある第２の下部位置との間において変位可能にガイドする第２のガイド部と
を有することを特徴とする電子機器。
【請求項１１】
前面側から略水平方向に記録媒体を着脱可能に構成されたドライブ部と、
本体部の前面側に取り付けられ、上記記録媒体を上記ドライブ部に遊挿可能な切り欠きが上部側の上記記録媒体の出入路部分に形成されたフロントパネルと、
上記フロントパネルの上部側に設けられている支点を、上記フロントパネルが閉じた状態における第１の上部位置と、上記第１の上部位置よりも前方斜め下方にある第２の上部位置との間において変位可能にガイドする第１のガイド部と、
上記第１のガイド部による上記フロントパネルの上記上部側の変位と連動して、上記フロントパネルの下部側を、上記フロントパネルが閉じた状態における第１の下部位置と、上記第１の下部位置よりも前方斜め下方にある第２の下部位置との間において変位可能にガイドすると共に、上記第２の下部位置と、上記第２の下部位置よりも前方斜め上方にある第３の下部位置との間において変位可能にガイドする第２のガイド部と
を有することを特徴とする記録再生装置。
【請求項１２】
上記フロントパネルの下部を上記第１の下部位置から上記第３の下部位置まで変位させた際に、上記記録媒体の上記出入路部分と上記切り欠きの底部とが干渉しないように、上記第２のガイド部のガイド形状が設定されている請求項１１に記載の記録再生装置。
【発明の詳細な説明】
【技術分野】
【０００１】
この発明は、開閉装置、開閉方法、電子機器および記録再生装置に関し、特に、フロントパネルの外面を上方に向けさせる開閉装置、開閉方法、電子機器および記録再生装置に関する。
【背景技術】
【０００２】
記録再生装置などの電子機器の前面にスイッチなどの操作キーが配されたフロントパネルが設けられている。フロントパネルの外面は、通常、電子機器の設置面に対して垂直とされており、操作キーの視認性および操作性が良好でない。特に、パネルへの指の接触をセンサによって検出するタッチパネル装置をフロントパネルに配置した場合、タッチパネル装置のパネルへの手指の接触面積が小さくなる、タッチパネル装置のパネルに手指の爪が触れてしまうなどの理由によって、良好な指先の接触の検出が難しい。
【０００３】
そこで、開閉装置によってフロントパネルの下側を突出させ、フロントパネルを上方に向けさせることによって、操作キーの視認性および操作性を向上させることができる。
【０００４】
例えば、以下の特許文献１には、電子機器本体のフロントパネルに表示部を有する開閉扉を備え、開閉扉は駆動機構により扉下部がパネル前方側に迫り出しながら下方へ開放動作し、開閉扉の開放位置では当該扉と共に表示部がやや上向き傾斜状態になるようにしたことで、開閉扉の開放状態において表示部がユーザの視認し易い角度となり、操作性の向上と共に前面パネルのデザイン性を高めることができる電子機器が提案されている。
【０００５】
【特許文献１】特開平１０−１７３３６２号公報
【発明の開示】
【発明が解決しようとする課題】
【０００６】
しかしながら、従来の開閉装置、開閉方法、電子機器および記録再生装置には、以下のような問題点があった。フロントパネルにタッチパネル、表示装置などの比較的厚みのあるものを備えさせた場合、必然的にフロントパネルの厚みが厚くなってしまう。このように厚みのあるフロントパネルは、簡単な構造によってフロントパネルと本体部とが干渉しないように外面を上方に向けさせることが困難であるという問題点があった。
【０００７】
特に、記録再生装置には光ディスクなどの着脱可能な記録媒体の挿入口が機器の前面側、すなわちフロントパネル側に設けられていることが多く、単純にフロントパネルの外面を上方に向けさせるとフロントパネルと記録媒体の出入路とが干渉してしまうという問題点があった。
【０００８】
したがって、この発明の目的は、フロントパネルが他の部分と干渉しないように、フロントパネルの外面を上方に向けさせることができる開閉装置、開閉方法、電子機器および記録再生装置を提供することにある。
【課題を解決するための手段】
【０００９】
上述した課題を解決するために、第１の発明は、フロントパネルの上部側に設けられている支点を、フロントパネルが閉じた状態における第１の上部位置と、第１の上部位置よりも前方斜め下方にある第２の上部位置との間において変位可能にガイドする第１のガイド部と、
第１のガイド部によるフロントパネルの上部側の変位と連動して、フロントパネルの下部側を、少なくとも、フロントパネルが閉じた状態における第１の下部位置と、第１の下部位置よりも前方斜め下方にある第２の下部位置との間において変位可能にガイドする第２のガイド部と
を有することを特徴とする。
【００１０】
第１の発明では、フロントパネルの外面を上方に向けさせる際に、フロントパネルの上部側に設けられている支点は、フロントパネルが閉じた状態における第１の上部位置から第１の上部位置よりも前方斜め下方にある第２の上部位置に変位し、それと連動して、フロントパネルの下部側は、フロントパネルが閉じた状態における第１の下部位置から、第１の下部位置よりも前方斜め下方にある第２の下部位置に変位するため、第１の下部位置から第２の下部位置までは、フロントパネルの下部側は、前方斜め下方に向かって変位する。また、フロントパネルを閉じる際に、フロントパネルの上部側に設けられている支点は、第２の上部位置から第１の上部位置に変位し、それと連動して、フロントパネルの下部側は、第２の下部位置から第１の下部位置に変位するため、第２の下部位置から第１の下部位置までは、フロントパネルの下部側は、後方斜め上方に向かって変位する。したがって、フロントパネルの上部側および後部側と他の部分との干渉を防止できる。
【００１１】
第１の発明において、第２のガイド部は、さらにフロントパネルの下部側を、第２の下部位置と、第２の下部位置よりも前方斜め上方にある第３の下部位置との間において変位可能にガイドすることが好ましい。これによって、フロントパネルの外面を上方に向けさせる際に、フロントパネルの下部側は、第１の下部位置から第３の下部位置に変位するため、第２の下部位置から第３の下部位置までは、フロントパネルの下部側は、前方斜め上方に向かって変位する。また、フロントパネルを閉じる際に、フロントパネルの下部側は、第３の下部位置から第１の下部位置に変位するため、第３の下部位置から第２の下部位置までは、フロントパネルの下部側は、後方斜め下方に向かって変位する。したがって、フロントパネルの下部側と他の部分との干渉を防止できる。
【００１２】
また、第１の発明において、第２のガイド部は、フロントパネルの下部側を、第１の下部位置と第２の下部位置と第３の下部位置との間において、凸部が下側となる曲線状にガイドすることが好ましい。これによって、フロントパネルの下部側を滑らかに変位させることができる。
【００１３】
また、第１の発明において、曲線は、フロントパネルの最も上側の位置よりも上方であり、フロントパネルの最も前側の位置よりも前方である位置を中心とする円弧であることが好ましい。これによって、フロントパネルの上部側、後部側および下部側と他の部分との干渉を防止できる。
【００１４】
また、第１の発明において、フロントパネルの下部側を第１の下部位置からガイド方向に向かって押し出す押出部をさらに有することが好ましい。これによって、自動的にフロントパネルの外面を上方に向けさせることができる。さらに、少なくともフロントパネルを閉じた状態では、フロントパネルの下部側の変位動作がロックされることが好ましい。これによって、ロックが解除された際に自動的にフロントパネルの外面を上方に向けさせることができる。また、押出部によるフロントパネルの下部側の変位速度を一定速度に抑制するダンパが設けられていることが好ましい。これによって、フロントパネルの外面をゆっくりと一定速度で上方に向けさせることができる。
【００１５】
また、第１の発明において、第１のガイド部および第２のガイド部は、フロントパネルの両側面側に設けられていることが好ましい。これによって、丈夫且つ安定してフロントパネルの開閉を行うことができる。
【００１６】
第２の発明は、フロントパネルの上部側に設けられている支点を、前方斜め下方に向かって変位させると共に、フロントパネルの下部側を、前方斜め下方に向かって変位させることによって、フロントパネルの外面を上方に向けさせる
ことを特徴とする。
【００１７】
第２の発明では、フロントパネルの上部側に設けられている支点は、フロントパネルが閉じた状態における第１の上部位置から第１の上部位置よりも前方斜め下方にある第２の上部位置に変位し、それと連動して、フロントパネルの下部側は、フロントパネルが閉じた状態における第１の下部位置から、第１の下部位置よりも前方斜め下方にある第２の下部位置に変位するため、フロントパネルの上部側および後部側と他の部分との干渉を防止できる。
【００１８】
第３の発明は、前面側から略水平方向に記録媒体を着脱可能に構成されたドライブ部と、
本体部の前面側に取り付けられ、記録媒体を上記ドライブ部に遊挿可能な切り欠きが上部側の上記記録媒体の出入路部分に形成されたフロントパネルと、
フロントパネルの上部側に設けられている支点を、フロントパネルが閉じた状態における第１の上部位置と、第１の上部位置よりも前方斜め下方にある第２の上部位置との間において変位可能にガイドする第１のガイド部と、
第１のガイド部によるフロントパネルの上部側の変位と連動して、フロントパネルの下部側を、フロントパネルが閉じた状態における第１の下部位置と、第１の下部位置よりも前方斜め下方にある第２の下部位置との間において変位可能にガイドすると共に、第２の下部位置と、第２の下部位置よりも前方斜め上方にある第３の下部位置との間において変位可能にガイドする第２のガイド部と
を有することを特徴とする。
【００１９】
第３の発明では、フロントパネルの外面を上方に向けさせる際に、フロントパネルの上部側に設けられている支点は、フロントパネルが閉じた状態における第１の上部位置から第１の上部位置よりも前方斜め下方にある第２の上部位置に変位し、それと連動して、フロントパネルの下部側は、フロントパネルが閉じた状態における第１の下部位置から、第１の下部位置よりも前方斜め下方にある第２の下部位置に変位してから、第２の下部位置よりも前方斜め上方にある第３の下部位置に変位するため、第１の下部位置から第２の下部位置までの間は、フロントパネルの下部側は、前方斜め下方に向かって変位し、第２の下部位置から第３の下部位置までは、フロントパネルの下部側は、前方斜め上方に向かって変位する。また、フロントパネルを閉じる際に、フロントパネルの上部側に設けられている支点は、第２の上部位置から第１の上部位置に変位し、それと連動して、フロントパネルの下部側は、第３の下部位置から第２の下部位置に変位してから第１の下部位置に変位するため、第３の下部位置から第２の下部位置までは、フロントパネルの下部側は、後方斜め下方に向かって変位し、第２の下部位置から第１の下部位置までは、フロントパネルの下部側は、後方斜め上方に向かって変位する。したがって、フロントパネルの上部側、後部側および下部側と他の部分との干渉を防止できる。
【００２０】
第３の発明において、フロントパネルを開けた際に、記録媒体の出入路部分と切り欠きの底部とが干渉しないように、第２のガイド部のガイド形状が設定されていることが好ましい。これによって、フロントパネルを開けた際にも記録媒体の着脱が可能となる。
【発明の効果】
【００２１】
この発明によれば、フロントパネルが他の部分と干渉しないように、フロントパネルの外面を上方に向けさせることができる。
【発明を実施するための最良の形態】
【００２２】
以下、この発明の一実施形態について、図面を参照して説明する。
【００２３】
まず、この発明の一実施形態による開閉装置を備えた記録再生装置について説明する。図１は、この発明に適用可能な記録再生装置１の一例のフロントパネル２の構成を示す。この記録再生装置１は、光ディスクを記録媒体として用い、ビデオカメラなど外部から供給された映像信号の記録媒体に対する記録や、記録媒体に記録された映像信号の再生を行うようにされている。記録再生装置１に適用可能な記録媒体としては、例えば、波長４０５ｎｍのレーザ光を発する青紫色レーザを光源とし、片面１層構造で２３ＧＢ（ギガバイト）の記録容量が実現した光ディスクを用いることができる。
【００２４】
後述するが、記録再生装置１は、フロントパネル２に例えばＬＣＤ(Liquid Crystal Display)などによる表示部１０が設けられ、記録媒体から再生された映像信号や外部から供給された映像信号を映出させることができると共に、表示部１０に記録再生装置１の各種ステータス情報などを、映像信号と共に表示させることができる。
【００２５】
フロントパネル２上に配置される各操作子は、一部を除きタッチパネルを用いて構成される。タッチパネルは、例えば、基板上に設けられた電極の静電容量の変化に基づき手指の接触を検出する、静電容量結合方式のものを用いることができる。例えば、フロントパネル２の表示部１０を除く略全面に対応する基板に対して、操作部分に対応する位置に所定に電極を形成する。基板は、例えばＰＥＴ(Polyethylene Terephthalate)などによるフィルムが用いられる。この基板に対して、ガラス板やアクリル板などの誘電体の板を接着し、パネル面を形成する。
【００２６】
基板に接着する誘電体の板は、例えばアクリル板が用いられ、さらに透明アクリル板を用いることで、デザインに高級感を持たせることができ好ましい。以下では、基板に接着する誘電体の板として透明アクリル板を用いるものとし、当該板をパネル板と呼ぶ。
【００２７】
より具体的には、タッチパネルは、図２に一例が概略的に示されるように、ＰＥＴシート４１ＢにＩＴＯ(Iridium Tin Oxide)膜４１Ａで信号パターンとＧＮＤ(Ground)パターンとを形成した透明電極シート４１を、透明アクリル板からなるパネル板４０に接着してなる。
【００２８】
パネル板４０は、例えば裏面から塗装され、電極構造が外部から隠蔽されると共に、各キーの機能などを示す文字や記号が印刷される。このとき、塗装に透過部を設け、その裏面にＬＥＤ(Light Emitting Diode)などの発光素子を配することができる。タッチパネルの操作に応じて対応する位置の発光素子を所定に点灯させることで、操作結果などを明示的に示すことができる。
【００２９】
フロントパネル２における各部のレイアウトについて、概略的に説明する。フロントパネル２の左側部分に、例えばＬＣＤを用いた表示部１０が設けられる。表示部１０には、この記録再生装置１に入力された映像またはこの記録再生装置１で記録媒体から再生された映像を映出可能であると共に、この記録再生装置１の各種ステータスや後述するファンクションキー２０、２０、・・・の機能などが表示される。
【００３０】
フロントパネル２の右側上部は、上端から横長の矩形状に切り欠いた切り欠き部１１が設けられ、切り欠き部１１により、記録再生装置１の本体側に設けられるディスク挿入口１２が露出されるようになっている。すなわち、このフロントパネル２は、記録再生装置１に対して可動構造とされており、下端部が前方に迫り出すように作動し、フロントパネル２が傾斜可能となっている。フロントパネル２は、下端部が前方に迫り出すと共に上端部が所定に下がるように動作し、フロントパネル２を傾斜させた際に、ディスク挿入口１２に対するディスクの挿入を妨げないようにされる。
【００３１】
フロントパネル２の左側の下端部には、例えば音声入力信号のレベル調整を行うための回転つまみ１３Ａ、１３Ｂ、１３Ｃおよび１３Ｄが設けられる。回転つまみ１３Ａ、１３Ｂ、１３Ｃおよび１３Ｄは、それぞれフロントパネル２の下端に弧の一部が露出され、弧の他の部分は上述したパネル板４０に覆われるように配置される。露出される部分は、ユーザが指を掛け回転つまみ１３Ａ、１３Ｂ、１３Ｃおよび１３Ｄを回転させるのに必要十分である程度とされる。回転つまみ１３Ａ、１３Ｂ、１３Ｃおよび１３Ｄの目盛りなどは、例えば回転つまみ１３Ａ、１３Ｂ、１３Ｃおよび１３Ｄの表面に記され、パネル板４０を介して視認可能なようにされる。回転つまみ１３Ａ、１３Ｂ、１３Ｃおよび１３Ｄの右側には、回転つまみ１３Ａ、１３Ｂ、１３Ｃおよび１３Ｄの調整モード設定するスイッチ１４が設けられる。
【００３２】
フロントパネル２の左端側に、上から、電源スイッチ１５、リモート選択スイッチ１６、ヘッドフォンレベルボリューム１７およびヘッドフォンジャック１８が設けられる。また、ディスク挿入口１２の右側には、ディスク挿入口１２から挿入され記録再生装置に装填されたディスクを排出するためのイジェクトボタン１９が設けられる。さらに、フロントパネル２の中央付近に、シフトキー２４が設けられる。
【００３３】
フロントパネル２のタッチパネルで構成された操作子について説明する。以下に説明するキーやサーチバーなどの実体は、パネル板４０を介して設けられる透明電極シート４１上に形成された電極によるセンサであって、静電容量の変化に基づき手指の接触を検出して所定の制御信号を出力する。このフロントパネル２においては、手指の接触が検出されたか否かを示す信号を出力するディジタル方式のセンサと、２点間の手指の位置を連続的に検出することができるアナログ方式のセンサとが用いられている。この図１の例では、各種キーにディジタル方式のセンサが用いられ、サーチバー３０にアナログ方式のセンサが採用されている。
【００３４】
なお、以下では、ディジタル方式のセンサによる各種キーに触れ、当該キーに触れたことを検出させることを、便宜上、当該キーを押すと表現する。
【００３５】
表示部１０の右側に隣接するように、ファンクションキー２０、２０、・・・が配される。ファンクションキー２０、２０、・・・は、複数（図１の例では、ファンクションＦ１〜Ｆ５の５個）のキー２０、２０、・・・からキー組が構成され、キー組毎に、キー２０、２０、・・・それぞれの機能を所定に切り替えることができるようにされている。ファンクションキー２０、２０、・・・それぞれに割り当てられる機能は、表示部１０に表示される表示画面の表示モードがファンクションメニューモードであるときに、表示部１０の右端の、ファンクションキー２０、２０、・・・それぞれに対応する位置に表示される。
【００３６】
ファンクションキー２０、２０、・・・の下部に、ページキー２１およびディスプレイキー２２が配される。ページキー２１は、表示部１０の表示モードをファンクションキーが表示されるファンクションモードに切り換えると共に、ファンクションキー２０、２０、・・・のキー組を切り換える。ディスプレイキー２２は、表示部１０に表示されている画面のモードを切り替える。
【００３７】
ディスク挿入口１２の下部に、編集操作やシステム設定などに用いられる各種キー２３Ａ〜２３Ｅが配される。これら各種キー２３Ａ〜２３Ｅは、ユーザがパネル面を見なくても操作が可能なように、表面に所定に突起部が設けられる。なお、この図１の例では、キー２３Ａ〜２３Ｃには、それぞれ２つの機能が割り当てられ、それぞれの機能の内容がキーの上下に記されている。シフトキー２４を押しながらキー２３Ａ〜２３Ｃを押すことで、例えばキーの下側に記されている機能が選択される。
【００３８】
図１の例では、キー２３Ａは、簡易的に編集を行う際に用いるキーであって、クリップの切り出しや接続を指示する。キー２３Ｂは、サムネイル画像の表示を指示する。シフトキー２４と共にキー２３Ｂを操作することで、エッセンスマークサーチが指示される。エッセンスマークは、例えばカメラのフィルタ交換など、映像記録時の所定の条件の変化に応じて自動的に記録されるマークである。キー２３Ｃ〜２３Ｅは、この記録再生装置１のシステム設定を行う際に用いられるキーである。なお、キー２３Ｃは、編集作業の際にも用いられる。
【００３９】
各種キー２３Ａ〜２３Ｅの下部に、各種の記録再生動作を制御するためのキー２５Ａ〜２５Ｅが配される。すなわち、キー２５Ａは、例えば１度押すことで現在再生または選択されているクリップの先頭に戻り、連続的に２度押すことで、ディスクに記録されている先頭のクリップに移動する。キー２５Ｂは、順方向への１倍速の再生を指示するプレイバックキーである。キー２６Ｃは、例えば１度押すことで現在再生または選択されているクリップの次のクリップの先頭に移動し、連続的に２度押すことで、ディスクに記録されている最後のクリップに移動する。キー２５Ｄは、再生を停止する指示を出す停止キー、キー２５Ｅは、記録を指示する記録キーである。記録キー２５Ｅの両側には、誤操作を防ぐためのガードとして、縦長の棒状に凸部が設けられる。なお、プレイバックキー２５Ｂとプレビューキー２５Ａとを同時に操作することで、逆方向への高速再生が指示される。また、プレイバックキー２５Ｂとネクストキー２５Ｄとを同時に操作することで、順方向への高速再生が指示される。
【００４０】
キー２５Ａ〜２５Ｅの右側に、４方向キー２７が配される。この４方向キー２７は、上下左右の４方向にそれぞれ対応した４個のキーからなり、例えば表示部１０の表示に基づき方向指示を行うことが必要な際に用いられる。また、４方向キー２７は、例えば編集作業を行う場合に、上述したキー２３Ｃと共に押すことで、ＩＮ点およびＯＵＴ点の指定や、再生位置に対するマーキングの指定がなされる。なお、フロントパネル２の４方向キー２７のそれぞれに対応する位置は、凸型形状とされ、ユーザがパネル面を見なくても操作可能とされている。
【００４１】
キー２５Ａ〜２５Ｅの下部に、アナログ方式のセンサからなるサーチバー３０が配される。サーチバー３０は、手指が触れた位置を直線状に検出することができる。例えば、サーチバー３０の両端に配置された２つの電極それぞれの静電容量の変化に基づき、手指が触れた位置を検出する。両端の２点の値を用いて位置を検出するので、ユーザの指の太さなどにかかわらず、検出される位置を１点に特定することができる。サーチバー３０は、パネル板４０が円弧状に抉られ、横長の凹型形状をなしている。また、サーチバー３０は、凹型形状内における横方向中央部のやや上側に突起３２が設けられ、ユーザが中央部を識別容易とされている。
【００４２】
また、サーチバー３０の円弧状に抉られた底部は、サーチバー３０における横方向に直線状の位置検出可能範囲に対応してスリット状に透過部３１が形成され、パネル板４０の裏面側のこの透過部に対応する位置にＬＥＤといった発光素子を設けた場合に、発光素子の発光がパネル面側から確認できるようにする。詳細は後述するが、発光素子は、スリット状の透過部３１の全体にわたって複数個が設けられ、サーチバー３０に手指が触れた位置に対応して発光するようにされている。
【００４３】
また、サーチバー３０の右側に、サーチバー３０の操作に対する動作モードなどの指定および表示を行う、サーチモードキー２８Ａ〜２８Ｃが配される。サーチモードキー２８Ａ〜２８Ｃに対応してパネル板４０に透過部が所定に形成され、パネル板４０の裏面側のこの透過部に対応する位置にＬＥＤといった発光素子が設けられる。
【００４４】
図３は、フロントパネル２に関する回路構成を概略的に示す。タッチパネル部４２は、図２を用いて説明したパネル板４０および透明電極シート４１と、透明電極シート４１からの出力信号を後続するＫＹマイコン４４に対応した制御信号に変換する制御モジュールとを含む。タッチパネル部４２がＬＥＤ基板モジュール４３を介してＫＹマイコン４４に接続される。ＫＹマイコン４４は、記録再生装置１の本体側のシステムコントローラ（シスコン）４５に接続される。
【００４５】
なお、例えばシフトキー２４などの、非タッチパネル方式によるキーの一部または全部は、出力信号が例えばＫＹマイコン４４に直接的に供給される。
【００４６】
ＬＥＤ基板モジュール４３は、タッチパネル部４２のフロントパネル２正面から見て奥に取り付けられ、基板上の所定位置にＬＥＤが配置されると共に、ＬＥＤの発光制御回路が設けられる。上述したように、ＬＥＤの位置に対応したパネル板４０に透過部が設けられ、ＬＥＤによる発光がフロントパネル２の表面側から確認できるようになっている。図１の例では、上述もしたが、サーチモードキー２８Ａ〜２８Ｃに対応する位置にそれぞれＬＥＤが配置されると共に、サーチバー３０におけるスリット状の透過部３１の全長に対応して、複数個のＬＥＤが配置される。
【００４７】
ＫＹマイコン４４は、例えばマイクロプロセッサからなり、タッチパネル部４２から供給された制御信号に応じた命令を、本体側のシステムコントローラ４５に対して出力する。また、ＫＹマイコン４４は、タッチパネルに対する操作やシステムコントローラ４５からの命令に基づきＬＥＤ基板モジュール４３の発光制御回路を制御し、ＬＥＤを所定に点灯させる。
【００４８】
図４は、フロントパネル２の各操作キーにより制御される動作の一例を説明するための記録再生装置１の部分的な構成の一例を示す。
【００４９】
システムコントローラ４５は、例えばＲＯＭ（Read Only Memory）に記録されているプログラムによって、上述したＫＹマイコン４４などから供給されるタッチパネル、非タッチパネル方式の操作キーに応じた制御信号に基づき、以下のような記録／再生処理を行うように記録再生装置１を構成する各部を制御する。
【００５０】
＜記録処理＞
記録処理時には、ビデオカメラなどから入力端子５１を介して音声信号が音声信号入力部５２に供給される。音声信号入力部５２は、入力端子５１を介して供給された音声信号に対して所定の処理を施す。音声信号入力部５２によって処理された音声信号は、音声／映像（Ａ／Ｖ）信号処理部５３に供給される。
【００５１】
一方、ビデオカメラなどから入力端子５４を介して映像信号が映像信号入力部５５に供給される。映像信号入力部５５は、入力端子５４を介して供給された映像信号に所定の処理を施す。映像信号入力部５５によって処理された映像信号は、音声／映像信号処理部５３に供給される。
【００５２】
音声／映像信号処理部５３は、音声信号入力部５２から供給された音声信号と映像信号入力部５５から供給された映像信号のそれぞれに、システムコントローラ４５からの制御信号に基づく所定の処理を施す。所定の処理が施された音声／映像信号は、記録再生装置１の外部に出力可能とされる。所定の処理が施された映像信号は、表示用の処理が施され表示部１０にも供給される。これによって、表示部１０に映像が表示される。所定の処理が施された音声／映像信号は、記録時には、エンコーダ／デコーダ（ＥＮＣ／ＤＥＣ）５６にも供給される。
【００５３】
エンコーダ／デコーダ５６は、メモリ５７を用いて音声／映像信号処理部５３から供給される音声／映像信号に圧縮符号化処理を行う。エンコーダ／デコーダ５６によって処理された音声／映像信号は、ドライブ５８に供給される。
【００５４】
ドライブ５８は、エンコーダ／デコーダ５６から供給された音声／映像信号に対して、エラー訂正符号化、記録符号化変調などの処理を順次行って、光ディスク５９に音声／映像信号を記録する。
【００５５】
＜再生処理＞
再生処理時には、ドライブ５８は、光ディスク５９から読み出された音声／映像信号に対して、復調、エラー訂正符号の復号などの処理を順次行う。ドライブ５８によって処理された音声／映像信号は、エンコーダ／デコーダ５６に供給される。
【００５６】
エンコーダ／デコーダ５６は、ドライブ５８から供給された音声／映像信号の圧縮符号を伸長する。エンコーダ／デコーダ５６によって伸長された音声／映像信号は、音声／映像信号処理部５３に供給される。
【００５７】
音声／映像信号処理部５３は、エンコーダ／デコーダ５６から供給された音声／映像信号のそれぞれに、システムコントローラ４５からの制御信号に基づく所定の処理を施す。所定の処理が施された音声／映像信号は、記録再生装置１の外部に出力可能とされる。なお、映像信号は、表示用の処理が施され表示部１０にも供給される。これによって、表示部１０に再生映像が表示される。
【００５８】
以上のように、記録再生装置１では、フロントパネル２の操作キーによって、記録／再生処理などを制御することができる。
【００５９】
なお、一実施形態では、記録／再生を行う記録媒体として光ディスク５９を用いたが、他の記録媒体を用いてもよい。図５は、記録再生装置１の部分的な構成の変形例を示すブロック図である。図６は、記録再生装置１の部分的な構成の他の変形例を示すブロック図である。
【００６０】
図５に示す記録再生装置１は、記録／再生を行う記録媒体を磁気テープ６０としたもの、すなわち図１に示すフロントパネル２のディスク挿入口１２をテープカセット挿入口としたものである。
【００６１】
図５に示す記録再生装置１では、ドライブ５８は、記録時にエンコーダ／デコーダ５６から供給された音声／映像信号に対して、エラー訂正符号化、記録符号化変調などの処理を順次行って、磁気テープ６０に音声／映像信号を記録する。また、ドライブ５８は、再生時に磁気テープ６０から読み出された音声／映像信号に対して、復調、エラー訂正符号の復号などの処理を順次行う。他の動作については、図４を参照して説明したのと同様であり、ここでは説明を省略する。
【００６２】
図６に示す記録再生装置１は、記録／再生を行う記録媒体を着脱可能なメモリ６２としたもの、すなわち図１に示すフロントパネル２のディスク挿入口１２をメモリカートリッジの挿入口としたものである。
【００６３】
図６に示す記録再生装置１では、記録時にエンコーダ／デコーダ５６によって圧縮符号化された音声／映像信号は、メモリインタフェース（Ｉ／Ｆ）６１に供給され、フラッシュメモリなどの着脱可能なメモリ６２に音声／映像信号が記録される。また、再生時には、メモリ６２から読み出された音声／映像信号がメモリインタフェース６１を介してエンコーダ／デコーダ５６に供給される。他の動作については、図４を参照して説明したのと同様であり、ここでは説明を省略する。
【００６４】
これら変形例および他の変形例における記録再生装置１についても、フロントパネル２の操作キーによって、記録／再生処理などを制御することができる。
【００６５】
次に、この発明の要部である開閉装置について詳細に説明する。一実施形態による開閉装置は、フロントパネル２の外面を上方に向けさせるための開閉機構として記録再生装置１に適用されている。
【００６６】
図７は、記録再生装置１の全体構造の一例を示す斜め上方からの斜視図である。また、図８は、記録再生装置１の左側面の前方側を示す図である。フロントパネル２は、フロントパネル２の上部側と後部側とが本体部７１と接するように本体部７１に取り付けられている。
【００６７】
本体部７１の底部側には、脚７２が設けられている。これによって、記録再生装置１は、設置した際に設置面７３との間に隙間が設けられる構成とされている。なお、図８中の破線は、上述した切り欠き部１１による光ディスク５９の出入路下側の切り欠きの境界線を示している。切り欠き部１１は、光ディスク５９を遊挿可能な形状とされている。
【００６８】
フロントパネル２には、表示部１０およびタッチパネルがこれらの制御回路と共に配置されている。フロントパネル２は、このような厚みのあるものを配置するため比較的厚く形成されている。例えば、フロントパネル２は、２．５ｃｍ〜４．５ｃｍ程度の厚みを有する。
【００６９】
また、フロントパネル２と本体部７１との間には隙間がほとんど設けられていない。このような状態にあって、フロントパネル２の前面、すなわち外面を上方へ向けさせる場合について考察してみる。
【００７０】
図９に示すように、フロントパネル２の後面側の上部に位置する回動軸７５を中心として、フロントパネル２を反時計回りに回転させて傾斜しようとすると、フロントパネル２の上部側が本体部７１のフロントパネル２の上部側と接する凸部７４と干渉してしまう（干渉Ａ）。また、フロントパネル２を傾斜した際に、切り欠き部１１の境界線が傾斜前のときよりも上側に上がってしまい、光ディスク５９の出入路と干渉してしまう（干渉Ｂ）。
【００７１】
図１０に示すように、フロントパネル２の前面側の上部に位置する回動軸７６を中心として、フロントパネル２を反時計回りに回転させて傾斜しようとすると、上述した干渉Ａは生じないが、干渉Ｂは生じてしまう。また、回転の初期において、フロントパネル２の後面側の上部の角部７７が本体部７１の前面側と干渉してしまう。
【００７２】
記録再生装置１に適用されている開閉装置は、これら干渉をなくしてフロントパネル２の外面を上方へ向けさせ傾斜させるものである。なお、記録再生装置１は、光ディスク５９の出入路の下側に位置するフロントパネル２の上面側に、凸部７４の前面と光ディスク５９の前面とが略同じ面上となるように構成とされているため、凸部７４がない構成であっても同じように干渉をなくす必要がある。また、フロントパネル２の上部側は、デザイン性、耐衝撃性などの観点からも本体部７１の凸部７４によって覆う構成とすることが好ましい。
【００７３】
図１１は、記録再生装置１に適用されている開閉装置の構成の一例を示す。また、図１２は、その左側面側を拡大したものである。なお、図１２では、説明を容易とするために、一部の構造を省略している。
【００７４】
この開閉装置は、フロントパネル２を閉じている状態から、フロントパネル２の上部側を前方斜め下方へ直線的に可動させる直線可動部と、同じくフロントパネル２を閉じている状態から、フロントパネル２の下部側を前方に向かって、下側が凸部側となる曲線の弧を描くように可動させる曲線可動部とを有する構成とされている。記録再生装置１は、これら可動部によって、フロントパネル２の前面を上方に向けさせる構造とされている。
【００７５】
直線可動部は、パネル側固定部材８１と本体側固定部材８２とを有している。直線可動部のパネル側固定部材８１は、フロントパネル２の両側面側の上部にそれぞれ取り付けられている。パネル側固定部材８１は、例えば直線形状とされており、一端側がフロントパネル２の上部やや下側に固定され、他端側がフロントパネル２の後部側から斜め上方に向かって突出するようにして固定されている。パネル側固定部材８１の他端側には、本体側固定部材８２と係合する係合部８１ａが設けられている。係合部８１ａは、フロントパネル２の支点であり、係合部８１ａを中心としてフロントパネル２が回動可能に構成される。
【００７６】
直線可動部の本体側固定部材８２は、本体部７１の両側面側にそれぞれ取り付けられている。本体側固定部材８２は、孔部８２ａを有しており、例えばこの孔部８２ａを用いてネジ止めすることによって本体部７１に固定されている。
【００７７】
また、本体側固定部材８２は、パネル側固定部材８１の係合部８１ａをガイドするガイド溝８２ｂを有している。ガイド溝８２ｂは、係合部８１ａをフロントパネル２の前方斜め下方に向かって直線的にガイドするように形成されている。これによって、係合部８１ａは、フロントパネル２が閉じている状態における第１の上部位置と、第１の上部位置よりも前方斜め下方にある第２の上部位置との間において変位可能とされる。
【００７８】
ガイド溝８２ｂの設置位置、角度および長さなどは、傾斜後のフロントパネル２の目的位置、傾斜時のフロントパネル２の軌跡などを考慮して最適に決められる。なお、ガイド溝８２ｂは、曲線状、例えば円弧状であってもよいし、曲線と直線とを組み合わせた形状であってもよい。この係合部８１ａを変位可能にガイドするガイド部の詳細については、後述する。
【００７９】
曲線可動部は、本体側固定部材８３とパネル側固定部材８４とを有している。曲線可動部の本体側固定部材８３は、本体部７１の両側面側にそれぞれ取り付けられている。なお、図１２では、説明を容易とするため本体側固定部材８３の一部を省略している。本体側固定部材８３は、例えば「へ」の字形状とされており、一端側に孔部８３ａを有しており、例えばこの孔部８３ａを用いてネジ止めすることによって本体部７１に固定されている。本体側固定部材８３の他端側には、曲線可動部のパネル側固定部材８４と係合する係合部８３ｂが２つ間隔を空けて設けられている。
【００８０】
曲線可動部のパネル側固定部材８４は、フロントパネル２の両側面側の下部側にそれぞれ回動可能に取り付けられている。パネル側固定部材８４は、例えば曲線形状とされており、一端側がフロントパネル２の下部側に取り付けられている。すなわち、パネル側固定部材８４の一端側は、フロントパネル２の下部側に回動可能に支持されている。なお、パネル側固定部材８４は、他端側がフロントパネル２の後部側から斜め上方に向かって突出するように取り付けられている。
【００８１】
また、パネル側固定部材８４は、本体側固定部材８３の２つの係合部８３ｂをガイドするガイド溝８４ａを有している。ガイド溝８４ａは、２つの係合部８３ｂによってパネル側固定部材８４がフロントパネル２の前面側に曲線状、例えば円弧状にガイドされるように形成されている。なお、この曲線は、凸部が下部側となるように形成されている。これによって、フロントパネル２の下部側は、少なくとも、フロントパネル２が閉じている状態における第１の下部位置と、第１の下部位置よりも前方斜め下方にある第２の下部位置との間において変位可能とされる。また、フロントパネル２の下部側は、第２の下部位置と、第２の下部位置よりも前方斜め上方にある第３の下部位置との間において変位可能とされる。一実施形態では、これら変位可能な構成とするために、ガイド溝８４ａを曲線状としているため、フロントパネル２の下部側を滑らかに変位させることができる。
【００８２】
ガイド溝８４ａの設置位置、曲線形状および長さなどは、傾斜後のフロントパネル２の目的位置、傾斜時のフロントパネル２の軌跡などを考慮して最適に決められる。なお、ガイド溝８４ａは、直線的に設けたり、曲線と直線とを組み合わせて設けたりしてもよい。このフロントパネル２の下部側を変位可能にガイドするガイド部の詳細については、後述する。
【００８３】
パネル側固定部材８４の他端側には、バネ８５の一端側が固定されている。なお、バネ８５の中間部は、図示省略している。バネ８５の他端側は、パネル側固定部材８４の一端側において、本体部７１に固定されている。これによって、バネ８５の弾性力により、パネル側固定部材８４には、フロントパネル２の下部側が常にガイド方向に向かって突出する方向に応力が働く構造とされている。この応力は、フロントパネル２を介して直線可動部にも働く。これにより、フロントパネル２の上部側と下部側とが連動して変位する。
【００８４】
なお、バネ８５の形状、種類、取り付け位置などは、パネル側固定部材８４にこの応力が働くのであれば、特に図示したものに限ったものではない。また、この応力は、バネ８５に限らず、ゴムなど他の弾性体によるものであってもよい。さらに、この応力は、ダンパによるものであってもよい。
【００８５】
また、パネル側固定部材８４は、ガイド溝８４ａに沿った形状のラック８４ｂを有している。ラック８４ｂは、連動ギア８６と噛み合う構成とされている。なお、図１２では、説明を容易とするため、左側面側の連動ギア８６を省略している。
【００８６】
両側面のそれぞれの連動ギア８６は、本体部７１において軸支された回動軸８８に固定されている。これによって、両側面側におけるフロントパネル２の動作を同期させることができ、丈夫且つ安定してフロントパネル２の開閉を行うことができる。連動ギア８６は、ダンパ８７が有するダンパギア８７ａと噛み合う構成とされている。ダンパ８７は、孔部８７ｂを有しており、例えばこの孔部８２ａを用いてネジ止めすることによって本体部７１に固定されている。ダンパ８７は、ダンパギア８７ａと噛み合っている連動ギア８６の回転動作を一定の速度でゆっくりと行うようにする。例えば、ダンパ８７として、オイルダンパを用いることができる。
【００８７】
連動ギア８６の近傍の回動軸８８には、カム８９が固定されている。カム８９は、カム溝８９ａを有している。カム溝８９ａは、カム８９の上部に取り付けられている制御部材９０が一端側に有するローラ９０ａが嵌脱可能な構成とされている。カム溝８９ａは、カム８９の中心を対称としてカム８９の円弧状の外周部に２つ設けられており、一方のカム溝８９ａは、フロントパネル２を傾斜していない状態、すなわちフロントパネル２が閉じている状態のときにローラ９０ａが嵌合し、他方のカム溝８９ａは、フロントパネル２を所定の角度まで傾斜した状態、すなわちフロントパネル２が開いている状態のときにローラ９０ａが嵌合する構成とされている。
【００８８】
このカム８９と制御部材９０とによるロック機構によって、フロントパネル２が不用意に簡単に回転してしまわないようにすることができる。また、フロントパネル２が閉じた状態においてロックが解除された際に、自動的にフロントパネル２を変位させることができる。なお、カム８９の形状は、図示したものに限ったものではない。例えば、フロントパネル２が閉じている状態のときにのみカム溝８９ａがローラ９０ａと嵌合する構成であってもよいし、フロントパネル２が開く途中段階においてもローラ９０ａと嵌合する構成としてもよい。途中段階においてローラ９０ａと嵌合する構成とすることによって、フロントパネル２の傾斜角度を多段階的に変えることができる。
【００８９】
制御部材９０は、例えば「へ」の字形状とされており、屈折部またはその近傍の固定部９０ｂが回動可能に本体部７１に取り付けられている。
【００９０】
また、制御部材９０の他端側には、バネ９１の一端側が固定されている。なお、バネ９１の中間部は、図示省略している。バネ９１の他端側は、一端側よりも上方において、本体部７１に固定されている。これによって、バネ９１の弾性力により、制御部材９０には、ローラ９０ａが常に下方に変位する方向に応力が働く構造とされている。なお、バネ９１の形状、種類、取り付け位置などは、制御部材９０にこの応力が働くのであれば、特に図示したものに限ったものではない。また、この応力は、バネ９１に限らず、ゴムなど他の弾性体によるものであってもよい。
【００９１】
制御部材９０の他端側には、上下方向に可動するロックスイッチ９２の受け部９０ｃが設けられており、ロックスイッチ９２を矢印方向に下げることにより、制御部材９０の一端側が上方へ変位し、ローラ９０ａがカム溝８９ａから外れる構造とされている。なお、図１２では、説明を容易とするため、ロックスイッチ９２を省略している。
【００９２】
図１１に示した例では、ダンパ８７、カム８９、制御部材９０、バネ９１およびロックスイッチ９２を左側面側に設けているが、これらは、右側面側または両側面側に設けてもよい。両側に設けた場合には、より丈夫で安定的にフロントパネル２の開閉を行うことができる。
【００９３】
図１３は、フロントパネル２を傾斜後の開閉装置の状態を示す。記録再生装置１は、傾斜前の状態から傾斜後の状態とする際、以下のように動作する。
【００９４】
まず、図１１および図１２に示す状態から、ロックスイッチ９２が下げられる。これによって、制御部材９０の他端側が下がり、固定部９０ｂを支点として制御部材９０が回転し、制御部材９０の一端側が上がる。制御部材９０の一端側が上がると、ローラ９０ａがカム溝８９ａから外れて回動軸８８のロックが解除される。
【００９５】
回動軸８８のロックが解除されると、パネル側固定部材８４がガイド溝８４ａに沿ってフロントパネル２の前方側に変位する。このとき、パネル側固定部材８４に働いていたバネ８５による応力は、パネル側固定部材８１に対しても働き、パネル側固定部材８１も本体側固定部材８２のガイド溝８２ｂに沿って前方斜め下方に変位する。また、ダンパ８７が連動ギア８６の動作をスムーズなものとし、フロントパネル２は、一定の速度でゆっくりと変位する。
【００９６】
カム８９が半回転する位置までラック８４ｂが変位すると、カム８９のカム溝８９ａにローラ９０ａが嵌合し、回動軸８８がロック状態となる。これにより、制御部材９０の他端側が上がり、ロックスイッチ９２が元の状態となる。以上によって、図１３に示す傾斜後の状態となる。なお、ロックスイッチ９２を下げた後の一連の動作は、バネ８５の弾性力によって、自動的に行われる。
【００９７】
記録再生装置１は、傾斜後の状態から傾斜前の状態とする際、以下のように動作する。まず、図１３に示す状態から、ロックスイッチ９２が下げられる。これによって、制御部材９０の他端側が下がり、固定部９０ｂを支点として制御部材９０が回転し、制御部材９０の一端側が上がる。制御部材９０の一端側が上がると、ローラ９０ａがカム溝８９ａから外れて回動軸８８のロックが解除される。
【００９８】
このロック解除状態において、ユーザによってフロントパネル２が本体部７１側に押されると、パネル側固定部材８４がガイド溝８４ａに沿って後方側に変位すると共に、パネル側固定部材８１が本体側固定部材８２のガイド溝８２ｂに沿って後方斜め上方に変位する。
【００９９】
カム８９が半回転する位置までラック８４ｂが変位すると、カム８９のカム溝８９ａにローラ９０ａが嵌合し、回動軸８８がロック状態となる。これにより、制御部材９０の他端側が上がり、ロックスイッチ９２が元の状態となる。以上によって、図１１および図１２に示す傾斜前の状態となる。ユーザは、フロントパネル２を閉じる場合にロックスイッチ９２が元の状態となるまでフロントパネル２を押し続けることになる。なお、ユーザの操作によって自動的にフロントパネル２を閉じる構成としてもよい。
【０１００】
図１４は、フロントパネル２の軌跡の一例を連続的に示した図である。マーク９３は、パネル側固定部材８１の係合部８１ａの軌跡を示し、マーク９４は、フロントパネル２の下部側のパネル側固定部材８４を支持する支持部の軌跡を示す。フロントパネル２の目的の傾斜角度βは、４２°としている。なお、傾斜角度βは、これに限定されるものではなく、操作キーの視認性および操作性などを考慮して、適切に設定される。
【０１０１】
フロントパネル２は、マーク９３を支点として回動する。すなわち、フロントパネル２は、中心位置が変化しながら回動する。フロントパネル２を閉じている状態におけるマーク９３ａの位置を上述した第１の上部位置とすると、マーク９３ｆが第２の上部位置となる。また、フロントパネル２を閉じている状態におけるマーク９４ａの位置を上述した第１の下部位置とすると、マーク９４ｄが第２の下部位置となり、マーク９４ｆが第３の下部位置となる。
【０１０２】
マーク９４の軌跡の中心点９５の位置は、例えばフロントパネル２の最も上側の位置よりも上方であり、フロントパネル２の最も前側の位置よりも前方である位置に設定される。これによって、フロントパネル２の上部側および後部側が光ディスク５９の出入路を含む本体部７１と干渉するのを防ぐことができると共に、フロントパネル２の下部側が設置面７３と干渉するのを防ぐことができる。傾斜前の位置であるマーク９４ａと傾斜後の位置であるマーク９４ｆとのなす角度αは、約２５度となっている。なお、具体的な中心点９５の位置は、本体部７１内に収まるパネル側固定部材８３の大きさの限界、バネ８５の弾性力などから求められる。
【０１０３】
図示するように、マーク９３およびマーク９４の軌跡を開扉動作の初期時において前方斜め下方とすることによって、フロントパネル２と光ディスク５９のドライブを含む本体部７１との干渉を防ぐことができる。また、マーク９４の軌跡を開扉動作の後期において前方斜め上方とすることによって、フロントパネル２と設置面７３との干渉を防ぐことができる。なお、マーク９４の軌跡は、開扉動作の初期時において前方斜め下方となり、開扉動作の後期において前方斜め上方となるのであれば、図示した円弧に限ったものではなく、楕円弧、弧と直線の組み合わせなどであってもよい。
【０１０４】
以上のことから、一実施形態による開閉装置によれば、フロントパネル２が本体部７１および設置面７３と干渉しないように、フロントパネル２の外面を上方に向けさせることができる。これによって、タッチパネルによる操作キーを備えたフロントパネル２の視認性および操作性を向上することができる。
【０１０５】
この発明は、上述したこの発明の実施形態に限定されるものでは無く、この発明の要旨を逸脱しない範囲内で様々な変形や応用が可能である。例えば、上述した説明では、記録再生装置１を電子機器の一例としたが、これに限らず、フロントパネル２などの開閉扉の外面を上方に向けさせる必要があり、開閉扉の上部側および後部側に干渉部分が位置している他の電子機器に適用できる。
【図面の簡単な説明】
【０１０６】
【図１】この発明の一実施形態による開閉装置を適用した記録再生装置のフロントパネルの構成の一例を示す図である。
【図２】タッチパネルの構成の一例を示す断面図である。
【図３】フロントパネルに関する回路構成の一例を示すブロック図である。
【図４】記録再生装置の部分的な構成の一例を示すブロック図である。
【図５】記録再生装置の部分的な構成の変形例を示すブロック図である。
【図６】記録再生装置の部分的な構成の他の変形例を示すブロック図である。
【図７】記録再生装置の全体構造の一例を示す斜め上方からの斜視図である。
【図８】記録再生装置の左側面の前方側を示す図である。
【図９】干渉について説明するための図である。
【図１０】干渉について説明するための図である。
【図１１】開閉装置の構成の一例を示す斜視図である。
【図１２】開閉装置（傾斜前）の左側面側の斜視図である。
【図１３】開閉装置（傾斜後）の左側面図である。
【図１４】フロントパネルの軌跡の一例を連続的に示した図である。
【符号の説明】
【０１０７】
１・・・記録再生装置
２・・・フロントパネル
１１・・・切り欠き部
１２・・・ディスク挿入口
７４・・・凸部
８１・・・パネル側固定部材（直線可動部側）
８１ａ・・・係合部（直線可動部側）
８２・・・本体側固定部材（直線可動部側）
８２ｂ・・・ガイド溝（直線可動部側）
８３・・・本体側固定部材（曲線可動部側）
８３ｂ・・・係合部（曲線可動部側）
８４・・・パネル側固定部材（曲線可動部側）
８４ａ・・・ガイド溝（曲線可動部側）
８５・・・バネ
８６・・・連動ギア
８７・・・ダンパ
８８・・・回動軸
８９・・・カム
９０・・・制御部材
９１・・・バネ
９２・・・ロックスイッチ
【図１】
2006302335.tif 000003
【図２】
2006302335.tif 000004
【図３】
2006302335.tif 000005
【図４】
2006302335.tif 000006
【図５】
2006302335.tif 000007
【図６】
2006302335.tif 000008
【図７】
2006302335.tif 000009
【図８】
2006302335.tif 000010
【図９】
2006302335.tif 000011
【図１０】
2006302335.tif 000012
【図１１】
2006302335.tif 000013
【図１２】
2006302335.tif 000014
【図１３】
2006302335.tif 000015
【図１４】
2006302335.tif 000016